(57)【特許請求の範囲】
【請求項１】
マルチホップ通信を実現する無線中継装置であって、
端末装置または他の無線中継装置のドナー部と無線方式Ａで通信を行うリモート部と、
基地局または他の無線中継装置のリモート部と無線方式Ｂで通信を行うドナー部と、
無線方式Ａのサービスに必要となる各制御装置の仮想マシンの起動要求を、仮想マシンを作成する仮想マシン作成サーバに送信する起動要求送信部と、
前記起動要求の送信に対して、前記仮想マシン作成サーバから前記仮想マシンの起動完了の報告であり、前記仮想マシンと通信するための通信先を示す通信先情報を含む起動完了報告を受信する起動完了報告受信部と、
前記１以上の各起動完了報告が有する通信先情報を含む設定情報を、当該通信先情報に対応する仮想マシンではない他の仮想マシンに送信する設定情報送信部とを具備する無線中継装置。
【請求項２】
前記仮想マシンの終了要求を仮想マシン作成サーバに送信する終了要求送信部と、
前記終了要求の送信に対して、前記仮想マシンの終了完了報告を前記仮想マシン作成サーバから受信する終了完了報告受信部とをさらに具備する請求項１記載の無線中継装置。
【請求項３】
請求項１または請求項２記載の無線中継装置と通信を行う仮想マシン作成サーバであって、
サービスコンソール部と、仮想マシン処理部とを具備し、
前記サービスコンソール部は、
前記無線方式Ａのサービスに必要となる各制御装置の仮想マシンの起動要求を前記無線中継装置から受信する起動要求受信部と、
前記起動要求に対応する仮想マシンイメージの要求を前記イメージ保存サーバに送信するイメージ要求送信部と、
前記仮想マシンの起動後、当該仮想マシンと通信するために必要な通信先情報であり、前記仮想マシン処理部が取得した通信先情報を含む仮想マシンの起動完了報告を無線中継装置に送信する起動完了報告送信部とを具備し、
前記仮想マシン処理部は、
前記仮想マシンイメージの要求に対応する仮想マシンイメージを前記イメージ保存サーバから取得するイメージ取得部と、
前記仮想マシンイメージから、仮想マシンを作成する仮想マシン作成部と、
前記仮想マシンを起動し、当該仮想マシンの通信先情報を取得する仮想マシン起動部とを具備し、
前記仮想マシンは、前記無線中継装置から設定情報を受信し、当該設定情報を用いて、前記無線方式Ａのサービスに必要となる制御装置の機能を実現する仮想マシン作成サーバ。
【請求項４】
前記サービスコンソール部は、
前記仮想マシンの終了要求を前記無線中継装置から受信する終了要求受信部と、
前記仮想マシンの終了後、当該仮想マシンの終了完了報告を前記無線中継装置に送信する終了完了報告送信部とをさらに具備し、
前記仮想マシン処理部は、
前記仮想マシンの終了要求に対応して、前記仮想マシンを終了する仮想マシン終了部をさらに具備する請求項３記載の仮想マシン作成サーバ。
【請求項５】
前記サービスコンソール部は、
前記仮想マシンイメージの取得完了報告を前記仮想マシン処理部から受信するイメージ取得完了報告受信部と、
前記起動要求受信部が受信した起動要求を前記仮想マシン処理部に送信する起動要求送信部と、
前記仮想マシンの起動後、当該仮想マシンと通信するために必要な通信先情報を含む仮想マシンの起動完了報告を前記仮想マシン処理部から受信する起動完了報告受信部と、
前記仮想マシン処理部は、
前記仮想マシンイメージの取得後、当該仮想マシンイメージの取得完了報告を前記サービスコンソール部に送信するイメージ取得完了報告送信部と、
前記仮想マシンイメージに対応する仮想マシンの起動要求を前記サービスコンソール部から受信する起動要求受信部と、
前記仮想マシンの起動後、当該仮想マシンと通信するために必要な通信先情報を含む仮想マシンの起動完了報告を前記サービスコンソール部に送信する第二起動完了報告送信部とをさらに具備する請求項３記載の仮想マシン作成サーバ。
【請求項６】
前記サービスコンソール部は、
前記終了要求を前記仮想マシン処理部に送信する終了要求送信部と、
前記仮想マシンの終了後、当該仮想マシンの終了完了報告を前記仮想マシン処理部から受信する終了完了報告受信部とをさらに具備し、
前記仮想マシン処理部は、
前記仮想マシンの終了要求を前記サービスコンソール部から受信する第二終了要求受信部をさらに具備する請求項５記載の仮想マシン作成サーバ。
【請求項７】
無線方式Ａで通信を行うリモート部に対応する仮想マシンを起動および終了することができる請求項３から請求項６いずれか記載の仮想マシン作成サーバ。
【請求項８】
一の保存サーバと通信を行う請求項３から請求項６いずれか記載の仮想マシン作成サーバであって、
前記保存サーバは、
無線方式Ａのサービスに必要となる各制御装置の仮想マシンの仮想マシンイメージを格納しているイメージ保存部と、
前記仮想マシンイメージの要求を前記仮想マシン作成サーバから受信するイメージ要求受信部と、
前記要求に応じて、当該要求に対応する仮想マシンイメージを前記イメージ保存部から読み出し、前記仮想マシン作成サーバに送信するイメージ送信部とを具備する請求項３から請求項６いずれか記載の仮想マシン作成サーバ。
【請求項９】
起動要求送信部、起動完了報告受信部、設定情報送信部とによりマルチホップ通信を実現する無線中継方法であって、
前記起動要求送信部が、無線方式Ａのサービスに必要となる各制御装置の仮想マシンの起動要求を、仮想マシンを作成する仮想マシン作成サーバに送信する起動要求送信ステップと、
前記起動完了報告受信部が、前記起動要求の送信に対して、前記仮想マシン作成サーバから前記仮想マシンの起動完了の報告であり、前記仮想マシンと通信するための通信先を示す通信先情報を含む起動完了報告を受信する起動完了報告受信ステップと、
前記設定情報送信部が、前記１以上の各起動完了報告が有する通信先情報を含む設定情報を、当該通信先情報に対応する仮想マシンではない他の仮想マシンに送信する設定情報送信ステップとを具備する無線中継方法。
【請求項１０】
起動要求受信部、イメージ要求送信部、イメージ取得部、仮想マシン作成部、仮想マシン起動部、起動完了報告送信部、終了要求受信部とにより実現される仮想マシン作成方法であって、
前記起動要求受信部が、無線方式Ａのサービスに必要となる各制御装置の仮想マシンの起動要求を無線中継装置から受信する起動要求受信ステップと、
前記イメージ要求送信部が、前記起動要求に対応する仮想マシンイメージの要求をイメージ保存サーバに送信するイメージ要求送信ステップと、
前記起動完了報告送信部が、前記仮想マシンの起動後、当該仮想マシンと通信するために必要な通信先情報であり、通信先情報を含む仮想マシンの起動完了報告を前記無線中継装置に送信する起動完了報告送信ステップとを具備し、
前記イメージ取得部が、前記仮想マシンイメージの要求に対応する仮想マシンイメージを前記イメージ保存サーバから取得するイメージ取得ステップと、
前記仮想マシン作成部が、前記仮想マシンイメージから、仮想マシンを作成する仮想マシン作成ステップと、
前記仮想マシン起動部が、前記仮想マシンを起動し、当該仮想マシンの通信先情報を取得する仮想マシン起動ステップとを具備する仮想マシン作成方法。
【発明の詳細な説明】
【技術分野】
【０００１】
本発明は、マルチホップ通信を実現する通信システム等に関するものである。
【背景技術】
【０００２】
従来、少量の制御情報により所定の通信速度を維持しつつ、端末間或いは端末と基地局間の適切な経路を確保するマルチホップ通信システムがあった（例えば、特許文献１参照）。
【０００３】
また、ＷｉＭＡＸとＬＴＥによる２ホップのマルチホップ通信を想定した場合、既存の通信システムでは図１２に示すような構成となる。つまり、ＬＴＥ端末１１からＷｉＭＡＸ通信事業者のコアネットワークを経由してＬＴＥ通信事業者のコアネットワークに接続する場合、無線中継装置７１（ＬＴＥ／ＷｉＭＡＸルータ）に、リモート部７１１（ＬＴＥ基地局相当）およびドナー部７１２（ＷｉＭＡＸ端末相当）が必要となる。
【先行技術文献】
【特許文献】
【０００４】
【特許文献１】特開２００４−２５４２３７号公報（第１頁、第１図等）
【発明の概要】
【発明が解決しようとする課題】
【０００５】
しかしながら、従来の通信システムにおいては、ＷｉＭＡＸとＬＴＥによるマルチホップ通信を行う場合、各ホップのリモート部に対応する制御装置を追加導入する必要があるため、マルチホップ通信システムが許容する最大ホップ数に比例して、設備投資コストがかかっていた。
【課題を解決するための手段】
【０００６】
本第一の発明の無線中継装置は、マルチホップ通信を実現する無線中継装置であって、端末装置または他の無線中継装置のドナー部と無線方式Ａで通信を行うリモート部と、基地局または他の無線中継装置のリモート部と無線方式Ｂで通信を行うドナー部と、無線方式Ａのサービスに必要となる各制御装置の仮想マシンの起動要求を、仮想マシンを作成する仮想マシン作成サーバに送信する起動要求送信部と、起動要求の送信に対して、仮想マシン作成サーバから仮想マシンの起動完了の報告であり、仮想マシンと通信するための通信先を示す通信先情報を含む起動完了報告を受信する起動完了報告受信部と、１以上の各起動完了報告が有する通信先情報を含む設定情報を、通信先情報に対応する仮想マシンではない他の仮想マシンに送信する設定情報送信部とを具備する無線中継装置である。
【０００７】
かかる構成により、各ホップのリモート部に対応する制御装置の追加導入が不要となるため、設備投資コストの大幅な削減が可能となる。
【０００８】
また、本第二の発明の無線中継装置は、第一の発明に対して、仮想マシンの終了要求を仮想マシン作成サーバに送信する終了要求送信部と、終了要求の送信に対して、仮想マシンの終了完了報告を仮想マシン作成サーバから受信する終了完了報告受信部とをさらに具備する無線中継装置である。
【０００９】
かかる構成により、適正な終了処理を行え、かつ、各ホップのリモート部に対応する制御装置の追加導入が不要となるため、設備投資コストの大幅な削減が可能となる。
【００１０】
また、本第三の発明の仮想マシン作成サーバは、無線中継装置と通信を行う仮想マシン作成サーバであって、サービスコンソール部と、仮想マシン処理部とを具備し、サービスコンソール部は、無線方式Ａのサービスに必要となる各制御装置の仮想マシンの起動要求を無線中継装置から受信する起動要求受信部と、起動要求に対応する仮想マシンイメージの要求をイメージ保存サーバに送信するイメージ要求送信部と、仮想マシンの起動後、仮想マシンと通信するために必要な通信先情報であり、仮想マシン処理部が取得した通信先情報を含む仮想マシンの起動完了報告を無線中継装置に送信する起動完了報告送信部と、仮想マシンの終了要求を無線中継装置から受信する終了要求受信部と、仮想マシンの終了後、仮想マシンの終了完了報告を無線中継装置に送信する終了完了報告送信部とを具備し、仮想マシン処理部は、仮想マシンイメージの要求に対応する仮想マシンイメージをイメージ保存サーバから取得するイメージ取得部と、仮想マシンイメージから、仮想マシンを作成する仮想マシン作成部と、仮想マシンを起動し、仮想マシンの通信先情報を取得し、通信先情報格納部に蓄積する仮想マシン起動部とを具備する仮想マシン作成サーバである。
【００１１】
かかる構成により、他の通信事業者のコアネットワークに接続する場合に、新たな制御装置の導入が不要となる。
【００１２】
また、本第四の発明の仮想マシン作成サーバは、第三の発明に対して、サービスコンソール部は、仮想マシンの終了要求を無線中継装置から受信する終了要求受信部と、仮想マシンの終了後、仮想マシンの終了完了報告を無線中継装置に送信する終了完了報告送信部とをさらに具備し、仮想マシン処理部は、仮想マシンの終了要求に対応して、仮想マシンを終了する仮想マシン終了部をさらに具備する仮想マシン作成サーバである。
【００１３】
かかる構成により、適正な終了処理を行え、かつ、各ホップのリモート部に対応する制御装置の追加導入が不要となるため、設備投資コストの大幅な削減が可能となる。
【００１４】
また、本第五の発明の仮想マシン作成サーバは、第三の発明に対して、サービスコンソール部は、仮想マシンイメージの取得完了報告を仮想マシン処理部から受信するイメージ取得完了報告受信部と、起動要求受信部が受信した起動要求を仮想マシン処理部に送信する起動要求送信部と、仮想マシンの起動後、仮想マシンと通信するために必要な通信先情報を含む仮想マシンの起動完了報告を仮想マシン処理部から受信する起動完了報告受信部と、仮想マシン処理部は、仮想マシンイメージの取得後、仮想マシンイメージの取得完了報告をサービスコンソール部に送信するイメージ取得完了報告送信部と、仮想マシンイメージに対応する仮想マシンの起動要求をサービスコンソール部から受信する起動要求受信部と、仮想マシンの起動後、仮想マシンと通信するために必要な通信先情報を含む仮想マシンの起動完了報告をサービスコンソール部に送信する起動完了報告送信部とをさらに具備する仮想マシン作成サーバである。
【００１５】
かかる構成により、各ホップのリモート部に対応する制御装置の追加導入が不要となるため、設備投資コストの大幅な削減が可能となる。
【００１６】
また、本第六の発明の仮想マシン作成サーバは、第五の発明に対して、サービスコンソール部は、終了要求を仮想マシン処理部に送信する終了要求送信部と、仮想マシンの終了後、仮想マシンの終了完了報告を仮想マシン処理部から受信する終了完了報告受信部とをさらに具備し、仮想マシン処理部は、仮想マシンの終了要求をサービスコンソール部から受信する終了要求受信部をさらに具備する仮想マシン作成サーバである。
【００１７】
かかる構成により、適正な終了処理を行え、かつ、各ホップのリモート部に対応する制御装置の追加導入が不要となるため、設備投資コストの大幅な削減が可能となる。
【発明の効果】
【００１８】
本発明による通信システムによれば、他の通信事業者のコアネットワークに接続する場合に、新たな制御装置の導入が不要となる。
【図面の簡単な説明】
【００１９】
【図１】実施の形態１における通信システムのブロック図
【図２】同通信システムを構成する仮想マシン作成サーバのブロック図
【図３】同通信システムの概念図
【図４】同ＬＴＥ端末が切断されるまでの手順を示す図
【図５】同ＬＴＥ端末が切断されるまでの手順を図
【図６】実施の形態２における仮想マシン作成サーバのブロック図
【図７】同通信システムの概念図
【図８】同ＬＴＥ端末が接続されるまでの手順を示す図
【図９】ＬＴＥ端末が切断されるまでの手順を図
【図１０】上記実施の形態におけるコンピュータシステムの概観図
【図１１】同コンピュータシステムのブロック図
【図１２】従来のマルチホップ通信における通信システムを示す図
【発明を実施するための形態】
【００２０】
以下、通信システム等の実施形態について図面を参照して説明する。なお、実施の形態において同じ符号を付した構成要素は同様の動作を行うので、再度の説明を省略する場合がある。
【００２１】
（実施の形態１）
本実施の形態において、設備投資が不要なマルチホップ通信を実現する通信システムについて、主として説明する。また、本実施の形態において、仮想マシン作成サーバを構成するサービスコンソール部と仮想マシン処理部とが物理的に分離されていない場合について説明する。
【００２２】
図１は、本実施の形態における通信システム１のブロック図である。図２は、通信システム１を構成する仮想マシン作成サーバ１４のブロック図である。
【００２３】
通信システム１は、端末装置１１、無線中継装置１２、イメージ保存サーバ１３、および仮想マシン作成サーバ１４を備える。
【００２４】
端末装置１１は、受付部１１１、起動要求送付部１１２、および終了要求送付部１１３を備える。なお、端末装置１１は、通信方式Ａを用いて、無線中継装置１２と通信を行う、とする。
【００２５】
無線中継装置１２は、リモート部１２１、ドナー部１２２、起動要求送信部１２３、起動完了報告受信部１２４、設定情報送信部１２５、終了要求送信部１２６、および終了完了報告受信部１２７を備える。
【００２６】
イメージ保存サーバ１３は、イメージ保存部１３１、イメージ要求受信部１３２、およびイメージ送信部１３３を備える。
【００２７】
仮想マシン作成サーバ１４は、サービスコンソール部１４１、および仮想マシン処理部１４２を備える。
【００２８】
サービスコンソール部１４１は、起動要求受信部１４１１、イメージ要求送信部１４１２、起動完了報告送信部１４１３、終了要求受信部１４１４、および終了完了報告送信部１４１５を備える。
【００２９】
仮想マシン処理部１４２は、イメージ取得部１４２１、仮想マシン作成部１４２２、仮想マシン起動部１４２３、および仮想マシン終了部１４２４を備える。
【００３０】
端末装置１１を構成する受付部１１１は、ユーザからの指示やデータ等を受け付ける。受け付ける指示は、例えば、通信を開始する指示である起動要求や、通信を終了する終了要求等である。指示やデータ等の入力手段は、キーボードやマウスやメニュー画面によるもの等、何でも良い。受付部１１１は、キーボード等の入力手段のデバイスドライバーや、メニュー画面の制御ソフトウェア等で実現され得る。
【００３１】
起動要求送付部１１２は、受付部１１１が受け付けた起動要求を無線中継装置１２に送信する。
【００３２】
終了要求送付部１１３は、受付部１１１が受け付けた終了要求を無線中継装置１２に送信する。
【００３３】
無線中継装置１２を構成するリモート部１２１は、端末装置または他の無線中継装置のドナー部と無線方式Ａで通信を行う。なお、「他の無線中継装置」とあるのは、実施の形態で説明する通信システム１および通信システム２において、２以上の無線中継装置が存在していても良い趣旨である。また、リモート部１２１は、端末装置１１から起動要求、終了要求などを受信する。
【００３４】
ドナー部１２２は、基地局または他の無線中継装置のリモート部と無線方式Ｂで通信を行う。なお、無線方式Ａと無線方式Ｂとは、通常、異なる通信方式であるが、同一の通信方式でも良い。
【００３５】
起動要求送信部１２３は、無線方式Ａのサービスに必要となる各制御装置の仮想マシンの起動要求を、仮想マシンを作成する仮想マシン作成サーバ１４に送信する。なお、制御装置とは、無線方式Ａのサービスに必要となる機能を提供する装置であり、例えば、ＷｉＭＡＸの場合のＡＳＮ−ＧＷ、ＣＳＮ、ＬＴＥの場合のＳ−ＧＷ、Ｐ−ＧＷなどである。なお、仮想マシンは、コアネットワーク内の制御装置と同等の機能を持つ仮想マシンである。また、仮想マシンは、仮想サーバと言い換えても良い。なお、仮想マシンは、例えば、クラウド環境「Amazon EC2（「Amazonは登録商標）」では、インスタンスとも言う。また、起動要求送信部１２３が送信する起動要求は、リモート部１２１が受信した起動要求である。
【００３６】
起動完了報告受信部１２４は、起動要求送信部１２３における起動要求の送信に対して、仮想マシン作成サーバ１４から起動完了報告を受信する。起動完了報告は、仮想マシンの起動完了の報告であり、仮想マシンと通信するための通信先を示す通信先情報を含む情報である。なお、通信先情報とは、例えば、ＩＰアドレス、サブネットマスク、ＭＡＣアドレス等である。
【００３７】
設定情報送信部１２５は、１以上の各起動完了報告が有する通信先情報を含む設定情報を、当該通信先情報に対応する仮想マシンではない他の仮想マシンに送信する。なお、設定情報は、通信先情報と同一の情報でも良い。
【００３８】
終了要求送信部１２６は、仮想マシンの終了要求を仮想マシン作成サーバ１４に送信する。なお、終了要求送信部１２３が送信する終了要求は、リモート部１２１が受信した終了要求である。
【００３９】
終了完了報告受信部１２７は、終了要求送信部１２６における終了要求の送信に対して、仮想マシンの終了完了報告を仮想マシン作成サーバ１４から受信する。
【００４０】
イメージ保存サーバ１３を構成するイメージ保存部１３１は、無線方式Ａのサービスに必要となる各制御装置の仮想マシンの仮想マシンイメージを格納している。イメージ保存部１３１は、不揮発性の記録媒体が好適であるが、揮発性の記録媒体でも実現可能である。イメージ保存部１３１に仮想マシンイメージが記憶される過程は問わない。例えば、記録媒体を介して仮想マシンイメージがイメージ保存部１３１で記憶されるようになってもよく、通信回線等を介して送信された仮想マシンイメージがイメージ保存部１３１で記憶されるようになってもよく、あるいは、入力デバイスを介して入力された仮想マシンイメージがイメージ保存部１３１で記憶されるようになってもよい。なお、仮想マシンイメージとは、仮想マシンを生成するための元になる情報であり、広く解し、例えば、仮想マシンを実現するプログラム等である。なお、仮想マシンイメージは、仮想サーバを起動するための元になる情報である、とも言える。
【００４１】
イメージ要求受信部１３２は、仮想マシンイメージの要求を仮想マシン作成サーバ１４から受信する。
【００４２】
イメージ送信部１３３は、イメージ要求受信部１３２が受信した要求に応じて、要求に対応する仮想マシンイメージをイメージ保存部１３１から読み出し、仮想マシン作成サーバ１４に送信する。
【００４３】
イメージ要求受信部１３２、およびイメージ送信部１３３は、通常、無線または有線の通信手段で実現されるが、放送手段で実現されても良い。
【００４４】
仮想マシン作成サーバ１４を構成するサービスコンソール部１４１は、無線中継装置１２とのインターフェイスを実現する。
【００４５】
サービスコンソール部１４１を構成する起動要求受信部１４１１は、無線方式Ａのサービスに必要となる各制御装置の仮想マシンの起動要求を無線中継装置１２から受信する。
【００４６】
イメージ要求送信部１４１２は、起動要求受信部１４１１が受信した起動要求に対応する仮想マシンイメージの要求をイメージ保存サーバ１３に送信する。
【００４７】
起動完了報告送信部１４１３は、仮想マシンの起動後、通信先情報を含む仮想マシンの起動完了報告を無線中継装置１２に送信する。なお、通信先情報は、仮想マシンと通信するために必要な情報であり、仮想マシン処理部１４２が取得した情報である。
【００４８】
終了要求受信部１４１４は、仮想マシンの終了要求を無線中継装置１２から受信する。
【００４９】
終了完了報告送信部１４１５は、仮想マシンの終了後、仮想マシンの終了完了報告を無線中継装置１２に送信する。
【００５０】
仮想マシン処理部１４２は、仮想マシンの作成等、仮想マシンに関する処理を行う。
【００５１】
仮想マシン処理部１４２を構成するイメージ取得部１４２１は、仮想マシンイメージの要求に対応する仮想マシンイメージをイメージ保存サーバ１３から取得する。ここでの取得は、通常、受信である。
【００５２】
仮想マシン作成部１４２２は、仮想マシンイメージから、仮想マシンを作成する。仮想マシン作成部１４２２が作成した仮想マシンは、無線中継装置１２から設定情報を受信し、当該設定情報を用いて、無線方式Ａのサービスに必要となる制御装置間の通信を実現する。また、仮想マシンは、無線方式Ａのサービスに必要となる制御装置の機能を有する。つまり、仮想マシンは、通常、無線方式Ａのサービスに必要となる制御装置の機能を持つ制御機能部（図示しない）と、他の仮想マシンの起動完了報告が有する設定情報を無線中継装置１２から受信する設定情報受信部（図示しない）を具備するものである。
【００５３】
仮想マシン起動部１４２３は、仮想マシンを起動し、仮想マシンの通信先情報を取得する。
【００５４】
仮想マシン終了部１４２４は、仮想マシンの終了要求に対応して、仮想マシンを終了する。
【００５５】
起動要求送付部１１２、終了要求送付部１１３、リモート部１２１、ドナー部１２２、起動要求送信部１２３、起動完了報告受信部１２４、設定情報送信部１２５、終了要求送信部１２６、終了完了報告受信部１２７、イメージ要求受信部１３２、イメージ送信部１３３、起動要求受信部１４１１、イメージ要求送信部１４１２、起動完了報告送信部１４１３、終了要求受信部１４１４、および終了完了報告送信部１４１５は、例えば、有線または無線による通信手段等で実現される。
【００５６】
次に、通信システム１の動作について説明する。まず、端末装置１１の動作について説明する。端末装置１１の受付部１１１は、ユーザから起動要求を受け付けると、起動要求送付部１１２は、起動要求を無線中継装置１２に送信する。そして、端末装置１１の受付部１１１は、ユーザから終了要求を受け付けると、終了要求送付部１１３は、終了要求を無線中継装置１２に送信する。
【００５７】
次に、無線中継装置１２の動作について説明する。無線中継装置１２の起動要求送信部１２３は、端末装置１１から起動要求を受信する等、何らかのトリガーが発生した場合、仮想マシン作成サーバ１４に対して、無線方式Ａのサービスに必要となる各制御装置の仮想マシンの起動要求を送信する。ここで、仮想マシンの起動要求は、コアネットワーク２を経由して送信される。また、仮想マシンの起動要求は、コアネットワーク２やインターネット３を経由して送信されても良い。また、次に、起動完了報告受信部１２４は、起動要求の送信に対応して、仮想マシン作成サーバ１４から起動完了報告（通信先情報を含む）を受信する。次に、設定情報送信部１２５は、通信先情報が含まれる設定情報を、当該通信先情報に対応する仮想マシンではない他の仮想マシンに送信する。また、終了要求送信部１２６は、例えば、端末装置１１から受信した終了要求に応じて、仮想マシンの終了要求を仮想マシン作成サーバ１４に送信する。そして、終了要求の送信に対応して、終了完了報告受信部１２７は、終了完了報告を受信する。
【００５８】
次に、イメージ保存サーバ１３の動作について説明する。イメージ保存サーバ１３のイメージ要求受信部１３２が仮想マシンイメージの要求を仮想マシン作成サーバ１４から受信した場合、イメージ送信部１３３は、当該要求に応じて、要求に対応する仮想マシンイメージをイメージ保存部１３１から読み出し、仮想マシン作成サーバ１４に送信する。
【００５９】
次に、仮想マシン作成サーバ１４の動作について説明する。仮想マシン作成サーバ１４の起動要求受信部１４１１は、無線方式Ａのサービスに必要となる各制御装置の仮想マシンの起動要求を無線中継装置１２から受信する。次に、イメージ要求送信部１４１２は、起動要求に対応する仮想マシンイメージの要求をイメージ保存サーバ１３に送信する。次に、イメージ取得部１４２１は、仮想マシンイメージの要求に対応する仮想マシンイメージをイメージ保存サーバ１３から取得する。そして、仮想マシン作成部１４２２は、仮想マシンイメージから、仮想マシンを作成する。次に、仮想マシン起動部１４２３は、仮想マシンを起動し、仮想マシンの通信先情報を取得する。次に、起動完了報告送信部１４１３は、仮想マシンの起動後、仮想マシンと通信するために必要な通信先情報であり、仮想マシン処理部１４２が取得した通信先情報を含む仮想マシンの起動完了報告を無線中継装置１２に送信する。また、終了要求受信部１４１４が仮想マシンの終了要求を無線中継装置１２から受信した場合、仮想マシン終了部１４２４は、当該終了要求に対応して、仮想マシンを終了する。次に、終了完了報告送信部１４１５は、仮想マシンの終了後、仮想マシンの終了完了報告を無線中継装置１２に送信する。
【００６０】
以下、本実施の形態における通信システム１の具体的な動作について説明する。本具体例において、通信システム１の概念図は図３である。本具体例において、端末装置１１は、いわゆるＬＴＥ端末である。また、無線中継装置１２は、いわゆるＬＴＥ／ＷｉＭＡＸルータである。そして、イメージ保存サーバ１３は、Ｐ−ＧＷイメージ、およびＳ−ＧＷイメージを格納し得る。イメージ保存サーバ１３は、ここでは、例えば、Ａｍａｚｏｎ  Ｓ３である。また、仮想マシン作成サーバ１４として、サービスコンソール１、Ｓ−ＧＷの仮想サーバ２、およびＰ−ＧＷの仮想サーバ３が存在する。なお、サービスコンソール１、Ｓ−ＧＷの仮想サーバ２、およびＰ−ＧＷの仮想サーバ３は、クラウド環境（ここでは、例えば、Ａｍａｚｏｎ  ＥＣ２）に存在する。また、２は、例えば、ＷｉＭＡＸコアネットワークであり、ＡＳＮ−ＧＷ、ＣＳＮを具備する。また、ＬＴＥ／ＷｉＭＡＸルータからの情報をＷｉＭＡＸ基地局が受信し、ＧＲＥトンネルを経由して、インターネットに接続される。なお、図３において、インスタンスイメージは、仮想マシンイメージと同意義である。また、仮想サーバは、仮想マシンと言い換えても良い。
【００６１】
また、本具体例において、通信システム１は、クラウド技術を利用したマルチホップ通信を行う。
【００６２】
かかる場合、ＬＴＥ端末が接続されるまでの手順を図４の手順図を用いて説明する。まず、ＬＴＥ／ＷｉＭＡＸルータ１２のドナー部１２２（ＷｉＭＡＸ端末相当）は８０２．１６標準に従ってＷｉＭＡＸ網に接続する（図４の４０１）。ＷｉＭＡＸ接続手続きについては、公知技術であるので詳細な説明を省略する。
【００６３】
次に、ＬＴＥ／ＷｉＭＡＸルータ１２のリモート部１２１（ＬＴＥ基地局相当）は、Ｓ−ＧＷ、およびＰ−ＧＷのインスタンスの起動要求をクラウド環境（仮想マシン作成サーバ１４のサービスコンソール部１４１））に対して送信する（４０２）。
【００６４】
次に、サービスコンソール部１４１から、Ｓ−ＧＷ仮想サーバの起動要求を仮想サーバ２に与える（４０３）。また、サービスコンソール部１４１から、Ｐ−ＧＷ仮想サーバの起動要求を仮想サーバ３に与える（４０４）。
【００６５】
次に、仮想サーバ２（イメージ要求送信部１４１２）から、イメージ保存サーバ１３にＳ−ＧＷ仮想サーバイメージのダウンロード要求を送信する（４０５）。次に、仮想サーバ３（イメージ要求送信部１４１２）から、イメージ保存サーバ１３にＰ−ＧＷ仮想サーバイメージのダウンロード要求を送信する（４０６）。
【００６６】
次に、クラウド環境に存在する仮想サーバ２（イメージ取得部１４２１）は、イメージ保存サーバ１３から、Ｓ−ＧＷインスタンスイメージを取得する（４０７）。次に、仮想サーバ２（仮想マシン作成部１４２２、および仮想マシン起動部１４２３）は、Ｓ−ＧＷインスタンスイメージから、Ｓ−ＧＷの仮想サーバ２を作成し、起動する（４０８）。
【００６７】
次に、仮想サーバ３（イメージ取得部１４２１）は、イメージ保存サーバ１３から、Ｐ−ＧＷインスタンスイメージを取得する（４０９）。次に、仮想サーバ３（仮想マシン作成部１４２２、および仮想マシン起動部１４２３）は、Ｐ−ＧＷインスタンスイメージから、Ｐ−ＧＷの仮想サーバ３を作成し、起動する（４１０）。
【００６８】
そして、仮想サーバ２（起動完了報告送信部１４１３）は、ＬＴＥ／ＷｉＭＡＸルータ１２の起動完了報告受信部１２４に、Ｓ−ＧＷ仮想サーバ起動完了報告を送信する（４１１）。そして、仮想サーバ３（起動完了報告送信部１４１３）は、ＬＴＥ／ＷｉＭＡＸルータ１２の起動完了報告受信部１２４に、Ｐ−ＧＷ仮想サーバの起動完了報告を送信する（４１２）。なお、仮想サーバ２が送信したＳ−ＧＷ仮想サーバの起動完了報告には、仮想サーバ２のＩＰアドレスが含まれる。また、仮想サーバ３が送信したＰ−ＧＷ仮想サーバの起動完了報告には、仮想サーバ３のＩＰアドレスが含まれる。
【００６９】
そして、次に、ＬＴＥ／ＷｉＭＡＸルータ１２の設定情報送信部１２５は、仮想サーバ２に届くように、仮想サーバ３のＩＰアドレスが含まれる設定情報を、クラウド環境に送信する（４１３）。ここで、仮想サーバ２に届くように設定情報をクラウド環境に送信することは、設定情報を仮想サーバ２に送信することと同意義である、と考えても良い。
【００７０】
また、ＬＴＥ／ＷｉＭＡＸルータ１２の設定情報送信部１２５は、仮想サーバ３に届くように、仮想サーバ２のＩＰアドレスが含まれる設定情報を、クラウド環境に送信する（４１４）。ここで、仮想サーバ３に届くように設定情報をクラウド環境に送信することは、設定情報を仮想サーバ３に送信することと同意義である、と考えても良い。
【００７１】
次に、ＬＴＥ端末１１は、３ＧＰＰＲｅｌｅａｓｅ．８標準に従ってＬＴＥで無線通信するのに必要な手続きを行う（４１５）。その後、ＬＴＥ端末１１は、ユーザからの操作により、メールの送受信やインターネット通信を行う（４１６）。
【００７２】
以上の処理により、接続手順が完了する。
【００７３】
次に、ＬＴＥ端末が切断されるまでの手順を図５の手順図を用いて説明する。ユーザから端末装置１１に、終了要求が入力された、とする。次に、受付部１１１は、ユーザからの終了要求を受け付ける。そして、ＬＴＥ端末１１は、３ＧＰＰ  Ｒｅｌｅａｓｅ．８標準に従ってＬＴＥの切断手続きを行う（５１）。
【００７４】
次に、ＬＴＥ／ＷｉＭＡＸルータ１２の終了要求送信部１２６はクラウド環境（ここでは、サービスコンソール部１４１）に対してＳ−ＧＷおよびＰ−ＧＷの仮想サーバの終了を要求する（５２）。
【００７５】
次に、サービスコンソール部１４１は、Ｓ−ＧＷの仮想サーバ２に対して、Ｓ−ＧＷ仮想サーバの終了を要求する（５３）。また、仮想サーバ１は、Ｐ−ＧＷの仮想サーバ３に対して、Ｐ−ＧＷ仮想サーバの終了を要求する（５４）
【００７６】
次に、仮想サーバ２および仮想サーバ３は、それぞれＳ−ＧＷ、Ｐ−ＧＷの仮想サーバを終了する（５５、５６）。
【００７７】
次に、仮想サーバ２および仮想サーバ２は仮想マシンの終了後、仮想サーバの終了完了の報告メッセージを、サービスコンソール部１４１を経由して、ＬＴＥ／ＷｉＭＡＸルータ１２の終了完了報告受信部１２７に送信する（５７、５８）。
【００７８】
さらに、ＬＴＥ／ＷｉＭＡＸルータ１２のドナー部１２２（ＷｉＭＡＸ端末相当）は、８０２．１６標準に従ってＷｉＭＡＸの切断手続きを行う（５９）。
【００７９】
以上の処理により、切断手順が完了する。
【００８０】
以上、本実施の形態によれば、新たな制御装置の導入を必要とせずに、マルチホップ通信が可能となる。
【００８１】
また、本実施の形態によれば、スケーラビリティが高いため、利用者増大時にも対応可能である。クラウド環境の場合、必要な時に必要なだけＣＰＵやメモリなどのリソースを借りられるからである。
【００８２】
なお、本実施の形態の具体例におけるＬＴＥ／ＷｉＭＡＸルータは、無線中継装置１２の一例であることは言うまでもない。
【００８３】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。
【００８４】
（実施の形態２）
本実施の形態において、設備投資が不要なマルチホップ通信を実現する通信システムについて説明する。また、本実施の形態において、主として、仮想マシン作成サーバを構成するサービスコンソール部と仮想マシン処理部とが物理的に分離されており、異なる装置である場合について説明する。
【００８５】
また、通信システム２において、通信システム１とは、仮想マシン作成サーバが異なる。つまり、通信システム２は、端末装置１１、無線中継装置１２、イメージ保存サーバ１３、仮想マシン作成サーバ２４を備える。
【００８６】
図６は、本実施の形態における通信システム２を構成する仮想マシン作成サーバ２４のブロック図である。
【００８７】
仮想マシン作成サーバ２４は、サービスコンソール部２４１、および仮想マシン処理部２４２を備える。
【００８８】
また、サービスコンソール部２４１は、起動要求受信部１４１１、イメージ要求送信部１４１２、起動完了報告送信部１４１３、終了要求受信部１４１４、終了完了報告送信部１４１５、イメージ取得完了報告受信部２４１１、起動要求送信部２４１２、起動完了報告受信部２４１３、終了要求送信部２４１４、および終了完了報告受信部２４１５を備える。
【００８９】
また、仮想マシン処理部２４２は、イメージ取得部１４２１、仮想マシン作成部１４２２、仮想マシン起動部１４２３、仮想マシン終了部１４２４、イメージ取得完了報告送信部２４２１、第二起動要求受信部２４２２、第二起動完了報告送信部２４２３、第二終了要求受信部２４２４、および第二終了完了報告送信部２４２５を備える。
【００９０】
サービスコンソール部２４１を構成するイメージ取得完了報告受信部２４１１は、仮想マシンイメージの取得完了報告を仮想マシン処理部２４２から受信する。
【００９１】
起動要求送信部２４１２は、起動要求受信部１４１１が受信した起動要求を仮想マシン処理部２４２に送信する。
【００９２】
起動完了報告受信部２４１３は、仮想マシンの起動後、仮想マシンと通信するために必要な通信先情報を含む仮想マシンの起動完了報告を仮想マシン処理部２４２から受信する。
【００９３】
終了要求送信部２４１４は、終了要求を仮想マシン処理部２４２に送信する。
【００９４】
終了完了報告受信部２４１５は、仮想マシンの終了後、仮想マシンの終了完了報告を仮想マシン処理部２４２から受信する。
【００９５】
仮想マシン処理部２４２を構成するイメージ取得完了報告送信部２４２１は、仮想マシンイメージの取得後、仮想マシンイメージの取得完了報告をサービスコンソール部２４１に送信する。
【００９６】
第二起動要求受信部２４２２は、仮想マシンイメージに対応する仮想マシンの起動要求をサービスコンソール部２４１から受信する。
【００９７】
第二起動完了報告送信部２４２３は、仮想マシンの起動後、仮想マシンと通信するために必要な通信先情報を含む仮想マシンの起動完了報告をサービスコンソール部２４１に送信する。
【００９８】
第二終了要求受信部２４２４は、仮想マシンの終了要求をサービスコンソール部２４１から受信する。
【００９９】
第二終了完了報告送信部２４２５は、仮想マシンの終了の完了報告を、サービスコンソール部２４１に送信する。
【０１００】
イメージ取得完了報告受信部２４１１、起動要求送信部２４１２、起動完了報告受信部２４１３、終了要求送信部２４１４、終了完了報告受信部２４１５、イメージ取得完了報告送信部２４２１、第二起動要求受信部２４２２、第二起動完了報告送信部２４２３、第二終了要求受信部２４２４、および第二終了完了報告送信部２４２５は、通常、無線通信手段で実現される。
【０１０１】
次に、通信システム２を構成する仮想マシン作成サーバ２４の動作について説明する。特に、サービスコンソール部２４１、および仮想マシン処理部２４２との通信処理を含む仮想マシン作成サーバ２４の動作について説明する。
【０１０２】
まず、サービスコンソール部２４１の起動要求受信部１４１１は、無線方式Ａのサービスに必要となる各制御装置の仮想マシンの起動要求を無線中継装置１２から受信する。次に、サービスコンソール部２４１のイメージ要求送信部１４１２は、起動要求に対応する仮想マシンイメージの要求をイメージ保存サーバ１３に送信する。
【０１０３】
次に、仮想マシン処理部２４２のイメージ取得部１４２１は、仮想マシンイメージの要求に対応する仮想マシンイメージをイメージ保存サーバ１３から取得する。次に、仮想マシン処理部１４２のイメージ取得完了報告送信部２４２１は、仮想マシンイメージの取得完了報告をサービスコンソール部２４１に送信する。
【０１０４】
次に、サービスコンソール部２４１のイメージ取得完了報告受信部２４１１は、イメージ取得完了報告を仮想マシン処理部２４２から受信する。
【０１０５】
次に、サービスコンソール部２４１の起動要求送信部２４１２は、起動要求受信部１４１１が受信した起動要求を仮想マシン処理部２４２に送信する。
【０１０６】
次に、仮想マシン処理部２４２の第二起動要求受信部２４２２は、仮想マシンイメージに対応する仮想マシンの起動要求をサービスコンソール部２４１から受信する。そして、仮想マシン処理部２４２の仮想マシン作成部１４２２は、仮想マシンイメージから、仮想マシンを作成する。次に、仮想マシン処理部２４２の仮想マシン起動部１４２３は、仮想マシンを起動し、仮想マシンの通信先情報を取得する。次に、第二起動完了報告送信部２４２３は、仮想マシンの起動後、当該仮想マシンと通信するために必要な通信先情報を含む仮想マシンの起動完了報告をサービスコンソール部２４１に送信する。
【０１０７】
そして、サービスコンソール部２４１の起動完了報告受信部２４１３は、仮想マシンと通信するために必要な通信先情報を含む仮想マシンの起動完了報告を仮想マシン処理部２４２から受信する。
【０１０８】
次に、起動完了報告送信部１４１３は、仮想マシン処理部１４２が取得した通信先情報を含む仮想マシンの起動完了報告を無線中継装置１２に送信する。
【０１０９】
また、仮想マシン作成部１４２２が作成した仮想マシンは、無線中継装置１２から設定情報を受信し、当該設定情報を用いて、無線方式Ａのサービスに必要となる制御装置間の通信を実現する。また、仮想マシンは、無線方式Ａのサービスに必要となる制御装置の機能を実現する。
【０１１０】
また、終了要求受信部１４１４が仮想マシンの終了要求を無線中継装置１２から受信した場合、終了要求送信部２４１４は、終了要求を仮想マシン処理部２４２に送信する。
【０１１１】
次に、第二終了要求受信部２４２４は、仮想マシンの終了要求をサービスコンソール部２４１から受信する。そして、仮想マシン終了部１４２４は、当該終了要求に対応して、仮想マシンを終了する。次に、第二終了完了報告送信部２４２５は、仮想マシンの終了完了報告を、サービスコンソール部２４１に送信する。
【０１１２】
次に、サービスコンソール部２４１の終了完了報告受信部２４１５は、仮想マシン処理部２４２から仮想マシンの終了完了報告を受信する。そして、終了完了報告送信部１４１５は、当該仮想マシンの終了完了報告を無線中継装置１２に送信する。
【０１１３】
以下、本実施の形態における通信システム２の具体的な動作について説明する。本具体例において、通信システム２の概念図は図７である。本具体例において、端末装置１１は、いわゆるＬＴＥ端末である。また、無線中継装置１２は、いわゆるＬＴＥ／ＷｉＭＡＸルータである。そして、イメージ保存サーバ１３は、Ｐ−ＧＷイメージ、およびＳ−ＧＷイメージを格納し得る。イメージ保存サーバ１３は、ここでは、例えば、Ａｍａｚｏｎ  Ｓ３である。また、仮想マシン作成サーバ２４として、Ｓ−ＧＷの仮想サーバ１、およびＰ−ＧＷの仮想サーバ２が存在する。なお、仮想マシン作成サーバは、クラウド環境に存在する。また、２は、例えば、ＷｉＭＡＸコアネットワークであり、ＡＳＮ−ＧＷ、ＣＳＮを具備する。また、ＬＴＥ／ＷｉＭＡＸルータからの情報をＷｉＭＡＸ基地局が受信し、ＧＲＥトンネルを経由して、インターネットに接続される。なお、図７において、仮想サーバは、仮想マシンと言い換えても良い。
【０１１４】
また、本具体例において、通信システム２は、クラウド技術を利用したマルチホップ通信を行う。
【０１１５】
かかる場合、ＬＴＥ端末が接続されるまでの手順を図８の手順図を用いて説明する。まず、ＬＴＥ／ＷｉＭＡＸルータ１２の図示しないドナー部１２２（ＷｉＭＡＸ端末相当）は８０２．１６標準に従ってＷｉＭＡＸ網に接続する（図８の８０１）。
【０１１６】
次に、ＬＴＥ／ＷｉＭＡＸルータ１２の図示しないリモート部１２１（ＬＴＥ基地局相当）は、Ｓ−ＧＷ、およびＰ−ＧＷの仮想マシンの起動要求をクラウド環境に対して送信する（８０２）。そして、サービスコンソール部２４１の起動要求受信部１４１１は、Ｓ−ＧＷ、およびＰ−ＧＷの仮想マシンの起動要求を受信する。
【０１１７】
次に、サービスコンソール１のイメージ要求送信部１４１２（サービスコンソール部１４１のイメージ要求送信部１４１２）から、Ｓ−ＧＷ仮想マシンイメージ、およびＰ−ＧＷ仮想マシンイメージの要求をイメージ保存サーバ１３に送信する（８０３）。
【０１１８】
次に、イメージ保存サーバ１３は、要求に応じて、仮想サーバ２にＳ−ＧＷ仮想マシンイメージを送信し、仮想サーバ３にＰ−ＧＷ仮想マシンイメージを送信する（８０４，８０５）。
【０１１９】
そして、仮想サーバ２のイメージ取得部１４２１は、Ｓ−ＧＷ仮想マシンイメージを受信する（８０４）。また、仮想サーバ３のイメージ取得部１４２１は、Ｐ−ＧＷ仮想マシンイメージを受信する（８０５）。
【０１２０】
次に、仮想サーバ２のイメージ取得完了報告送信部２４２１は、Ｓ−ＧＷ仮想マシンイメージの取得完了報告をサービスコンソール１に送信する（８０６）。また、仮想サーバ３のイメージ取得完了報告送信部２４２１は、Ｐ−ＧＷ仮想マシンイメージの取得完了報告をサービスコンソール１に送信する（８０７）。
【０１２１】
次に、サービスコンソール１の起動要求送信部２４１２は、仮想サーバ２に、Ｓ−ＧＷ仮想マシンの起動要求を送信する（８０８）。また、サービスコンソール１の起動要求送信部２４１２は、仮想サーバ３に、Ｐ−ＧＷ仮想マシンの起動要求を送信する（８０９）。
【０１２２】
次に、仮想サーバ２の第二起動要求受信部２４２２は、起動要求を受信する。そして、仮想サーバ２の仮想マシン作成部１４２２は、Ｓ−ＧＷ仮想マシンイメージから仮想マシンを作成する。そして、仮想マシン起動部１４２３は、仮想マシンを起動する（８１０）。なお、この際、仮想マシン起動部１４２３は、自信の通信先情報（ＩＰアドレス等）を取得する。
【０１２３】
また、仮想サーバ３の第二起動要求受信部２４２２は、起動要求を受信する。そして、仮想サーバ３の仮想マシン作成部１４２２は、Ｐ−ＧＷ仮想マシンイメージから仮想マシンを作成する。そして、仮想マシン起動部１４２３は、仮想マシンを起動する（８１１）。なお、この際、仮想マシン起動部１４２３は、自信の通信先情報（ＩＰアドレス等）を取得する。
【０１２４】
次に、仮想サーバ２は、サービスコンソール１を経由して、ＬＴＥ／ＷｉＭＡＸルータ１２に、Ｓ−ＧＷ仮想サーバ起動完了報告を送信する（８１２）。また、仮想サーバ３は、サービスコンソール１を経由して、ＬＴＥ／ＷｉＭＡＸルータ１２に、Ｐ−ＧＷ仮想サーバ起動完了報告を送信する（８１３）。なお、仮想サーバ２が送信したＳ−ＧＷ仮想サーバ起動完了報告には、仮想サーバ２の通信先情報が含まれる。また、仮想サーバ３が送信したＰ−ＧＷ仮想サーバ起動完了報告には、仮想サーバ３の通信先情報が含まれる。
【０１２５】
そして、次に、ＬＴＥ／ＷｉＭＡＸルータ１２の設定情報送信部１２５は、仮想サーバ２に届くように、仮想サーバ３のＩＰアドレスが含まれる設定情報を、クラウド環境に送信する（８１４）。また、ＬＴＥ／ＷｉＭＡＸルータ１２の設定情報送信部１２５は、仮想サーバ３に届くように、仮想サーバ２のＩＰアドレスが含まれる設定情報を、クラウド環境に送信する（８１５）。
【０１２６】
そして、ＬＴＥ端末１１は、３ＧＰＰＲｅｌｅａｓｅ．８標準に従ってＬＴＥで無線通信するのに必要な手続きを行う）。その後、ＬＴＥ端末１１は、ユーザからの操作により、メールの送受信やインターネット通信を行う。
【０１２７】
以上の処理により、接続手順が完了する。
【０１２８】
次に、ＬＴＥ端末が切断されるまでの手順を図９の手順図を用いて説明する。ユーザから端末装置１１に、終了要求が入力された、とする。次に、受付部１１１は、ユーザからの終了要求を受け付ける。そして、ＬＴＥ端末１１は、３ＧＰＰ  Ｒｅｌｅａｓｅ．８標準に従ってＬＴＥの切断手続きを行う。
【０１２９】
次に、ＬＴＥ／ＷｉＭＡＸルータ１２の終了要求送信部１２６（ＬＴＥ基地局相当）は、Ｓ−ＧＷおよびＰ−ＧＷの仮想サーバの終了を要求する終了要求をサービスコンソール１に送信する（９１）。
【０１３０】
次に、サービスコンソール１の終了要求受信部１４１４は、Ｓ−ＧＷおよびＰ−ＧＷの仮想サーバの終了要求を受信する。そして、サービスコンソール１の終了要求送信部２４１４は、Ｓ−ＧＷの仮想サーバ２に対して、終了要求を送信する（９２）。また、サービスコンソール１は、Ｐ−ＧＷの仮想サーバ３に対して、終了要求を送信する（９３）
【０１３１】
次に、仮想サーバ２および仮想サーバ３の仮想マシン終了部１４２４は、それぞれＳ−ＧＷ、Ｐ−ＧＷの仮想マシンを終了する（９４、９５）。
【０１３２】
次に、仮想サーバ２および仮想サーバ３は仮想マシンの終了後、仮想マシンの終了完了の報告メッセージを、サービスコンソール１を経由して、ＬＴＥ／ＷｉＭＡＸルータ１２の終了完了報告受信部１２７に送信する（９６、９７）。
【０１３３】
さらに、ＬＴＥ／ＷｉＭＡＸルータ１２のドナーノード部（ＷｉＭＡＸ端末相当）は、８０２．１６標準に従ってＷｉＭＡＸの切断手続きを行う（９８）。
【０１３４】
以上の処理により、切断手順が完了する。
【０１３５】
以上、本実施の形態によれば、新たな制御装置の導入を必要とせずに、マルチホップ通信が可能となる。
【０１３６】
また、本実施の形態によれば、スケーラビリティが高いため、利用者増大時にも対応可能である。クラウド環境の場合、必要な時に必要なだけＣＰＵやメモリなどのリソースを借りられるからである。
【０１３７】
また、図１０は、本明細書で述べたプログラムを実行して、上述した種々の実施の形態の仮想マシン作成サーバ等を実現するコンピュータの外観を示す。上述の実施の形態は、コンピュータハードウェア及びその上で実行されるコンピュータプログラムで実現され得る。図１０は、このコンピュータシステム３００の概観図であり、図１１は、システム３００のブロック図である。
【０１３８】
図１０において、コンピュータシステム３００は、ＦＤ（Ｆｌｅｘｉｂｌｅ  Ｄｉｓｋ）ドライブ、ＣＤ−ＲＯＭ（Ｃｏｍｐａｃｔ  Ｄｉｓｋ  Ｒｅａｄ  Ｏｎｌｙ  Ｍｅｍｏｒｙ）ドライブを含むコンピュータ３０１と、キーボード３０２と、マウス３０３と、モニタ３０４と、マイク３０５と、スピーカー３０６とを含む。
【０１３９】
図１１において、コンピュータ３０１は、ＦＤドライブ３０１１、ＣＤ−ＲＯＭドライブ３０１２に加えて、ＣＰＵ（Ｃｅｎｔｒａｌ  Ｐｒｏｃｅｓｓｉｎｇ  Ｕｎｉｔ）３０１３と、ＣＰＵ３０１３、ＣＤ−ＲＯＭドライブ３０１２及びＦＤドライブ３０１１に接続されたバス３０１４と、ブートアッププログラム等のプログラムを記憶するためのＲＯＭ（Ｒｅａｄ−Ｏｎｌｙ  Ｍｅｍｏｒｙ）３０１５と、ＣＰＵ３０１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０１４０】
コンピュータシステム３００に、上述した実施の形態の仮想マシン作成サーバ等の機能を実行させるプログラムは、ＣＤ−ＲＯＭ３１０１、またはＦＤ３１０２に記憶されて、ＣＤ−ＲＯＭドライブ３０１２またはＦＤドライブ３０１１に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１、ＦＤ３１０２またはネットワークから直接、ロードされても良い。
【０１４１】
プログラムは、コンピュータ３０１に、上述した実施の形態の仮想マシン作成サーバ等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１４２】
なお、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
【０１４３】
また、上記プログラムを実行するコンピュータは、単数であってもよく、複数であってもよい。すなわち、集中処理を行ってもよく、あるいは分散処理を行ってもよい。
【０１４４】
また、上記各実施の形態において、一の装置に存在する２以上の通信手段は、物理的に一の媒体で実現されても良いことは言うまでもない。
【０１４５】
また、上記各実施の形態において、各処理（各機能）は、単一の装置（システム）によって集中処理されることによって実現されてもよく、あるいは、複数の装置によって分散処理されることによって実現されてもよい。
【０１４６】
本発明は、以上の実施の形態に限定されることなく、種々の変更が可能であり、それらも本発明の範囲内に包含されるものであることは言うまでもない。
【産業上の利用可能性】
【０１４７】
以上のように、本発明にかかる通信システムは、他の通信事業者のコアネットワークに接続する場合に、設備投資コストの大幅な削減が可能となる、という効果を有し、通信システム等として有用である。
【符号の説明】
【０１４８】
１、２  通信システム
１１  端末装置
１２  無線中継装置
１３  イメージ保存サーバ
１４、２４  仮想マシン作成サーバ
１１１  受付部
１１２  起動要求送付部
１１３  終了要求送付部
１２１  リモート部
１２２  ドナー部
１２３、２４１２  起動要求送信部
１２４、２４１３  起動完了報告受信部
１２５  設定情報送信部
１２６、２４１４  終了要求送信部
１２７、２４１５  終了完了報告受信部
１３１  イメージ保存部
１３２  イメージ要求受信部
１３３  イメージ送信部
１４１、２４１  サービスコンソール部
１４２、２４２  仮想マシン処理部
１４１１  起動要求受信部
１４１２  イメージ要求送信部
１４１３  起動完了報告送信部
１４１４  終了要求受信部
１４１５  終了完了報告送信部
１４２１  イメージ取得部
１４２２  仮想マシン作成部
１４２３  仮想マシン起動部
１４２４  仮想マシン終了部
２４１１  イメージ取得完了報告受信部
２４２１  イメージ取得完了報告送信部
２４２２  第二起動要求受信部
２４２３  第二起動完了報告送信部
２４２４  第二終了要求受信部
２４２５  第二終了完了報告送信部
【図２】
0005570463.tif 000002
【図６】
0005570463.tif 000003
【図１０】
0005570463.tif 000004
【図１１】
0005570463.tif 000005
【図１】
0005570463.tif 000006
【図３】
0005570463.tif 000007
【図４】
0005570463.tif 000008
【図５】
0005570463.tif 000009
【図７】
0005570463.tif 000010
【図８】
0005570463.tif 000011
【図９】
0005570463.tif 000012
【図１２】
0005570463.tif 000013